(57)【要約】      （修正有）【課題】セレモニー開始前からセットでき、水等の液体を注ぐだけで、超音波振動子の破損の心配をする必要が無く、少量の液体がセンサーに付着しただけで白煙が発生してしまうことが無く、容器のサイズや形状に自由度が大きい、照明と白煙発生を開始できる白煙演出装置を提供する。【解決手段】容器に注がれた液体の圧力を検知する液体圧力検知部１５と、液体圧力検知部１５により検知された圧力が予め定めた値より大きいかどうかを判定する圧力判定部と、圧力判定部により判定された圧力が予め定めた第１の値より大きい場合に液体を照明する照明部３５と、圧力判定部により判定された圧力が第２の値より大きい場合に液体に超音波振動子を駆動して白煙を生成させる白煙生成部３０と、を有する。【選択図】図５
2015077381.tif 000002
【特許請求の範囲】
【請求項１】
容器に注がれた液体の圧力を検知する液体圧力検知部と、前記液体圧力検知部により検知された圧力が予め定めた値より大きいかどうかを判定する圧力判定部と、前記圧力判定部により判定された圧力が予め定めた第１の値より大きい場合に前記液体を照明する照明部と、前記圧力判定部により判定された圧力が第２の値より大きい場合に前記液体に超音波振動子を駆動して白煙を生成させる白煙生成部と、を有する白煙演出装置。
【請求項２】
前記圧力判定部は、前記液体圧力検出部が検出した圧力を予め定めたサンプリング方法により判定する請求項１記載の白煙演出装置。
【請求項３】
前記照明部の光源は発光ダイオード素子である請求項１又は２記載の白煙演出装置。
【請求項４】
前記照明部の光源は、前記容器の下部から、前記液体を介して前記白煙を照明する方向に配置されている請求項１乃至３のいずれか１項記載の白煙演出装置。
【請求項５】
装置の動作時間を計測するタイマー部を更に備え、予め定めた時間を経過した場合、動作を停止する請求項１乃至４のいずれか１項記載の白煙演出装置。
【請求項６】
前記液体圧力検知部と前記圧力判定部と前記白煙生成部と前記照明部とに電気を供給する電源部と、前記液体圧力検知部と、前記圧力判定部と、前記白煙生成部と、前記照明部と、前記容器とを一体配置する請求項１乃至５のいずれか１項記載の白煙演出装置。
【請求項７】
前記電源部は電池で駆動する請求項６記載の白煙演出装置。
【発明の詳細な説明】
【技術分野】
【０００１】  本発明は、冠婚葬祭等で使用する光と霧の演出装置に関する。
【背景技術】
【０００２】  従来、冠婚葬祭の一例である結婚披露宴では、招待客のテーブルに備えたローソクに新郎新婦が順番に火を灯していくキャンドルサービスが行われている。【０００３】  近年では、ドライアイスに水を注ぐタイプの卓上型白煙発生装置（特許文献１参照）と発光ダイオード（以下、ＬＥＤと記す。）による照明を組み合わせ、白煙と光の演出効果を高めた白煙演出装置が提案されている。
また、超音波振動子を用いた白煙発生部とＬＥＤ照明による白煙演出装置が提案されている（特許文献２参照）。
また近年、水が触れて電気的に導通するセンサーと超音波振動子とを一体にした霧化ユニットが販売されている。
【先行技術文献】
【特許文献】
【０００４】
【特許文献１】特開２００５−２００２２５号公報
【特許文献２】特開２００５−１７８１０４号公報
【発明の概要】
【発明が解決しようとする課題】
【０００５】  しかしながら、上述のドライアイスを用いた卓上型白煙発生装置では、例えば結婚披露宴が始まり、新郎新婦が招待客のテーブルに回り出すまでに約２時間程度のタイムスケジュールがあるのが一般的であり、披露宴が始まる前にドライアイスをセッティングすると、水を注ぐ本番までにドライアイスが気化してしまい、演出ができなくなる。また、演出直前に招待客の前でドライアイスをセッテイングすると、演出のインパクトが低下してしまうという欠点があった。【０００６】  また、上述の超音波振動子を用いた白煙発生装置では、スイッチをオンにしておき超音波振動子を水に浸すことで白煙発生を開始することも可能としているが、超音波振動子を水に浸さずに励振させると振動子が破損してしまう可能性があるという問題があった。超音波振動子が動作し白煙を発生して水が減り、超音波振動子が水から出ても励振させ続けると、同様に振動子が破損してしまう可能性があった。超音波振動子が水に確実に浸されていることをスタッフが遠隔で確認しながら無線操作でスイッチをオン・オフするのは容易では無いという問題があった。【０００７】  また、上述の水が触れて電気的に導通するセンサーと超音波振動子とを一体にした霧化ユニットを用いて白煙演出装置を構成すると、誤って少量の水滴がセンサーに付着すると誤動作により白煙を発生してしまうという問題があった。また、新郎新婦が注ぐ水の量が霧化ユニットに依存するため、水を注ぐ容器の大きさや形状に制約ができるという問題があった。【０００８】  本発明は、この様な従来の問題点を解決するものであり、冠婚葬祭等で来場者が着席する前に演出装置のセッティングを完了でき、演出装置にセレモニーの主体者である例えば新郎新婦が水等の液体を注ぐだけで、超音波振動子の破損の心配をする必要が無く、少量の液体がセンサーに付着しただけで白煙が発生することの無く、容器のサイズや形状に自由度が大きい、照明と白煙発生を開始できる白煙演出装置を提供することを目的とする。
【課題を解決するための手段】
【０００９】  本発明の白煙演出装置は、容器に注がれた液体の圧力を検知する液体圧力検知部と、前記液体圧力検知部により検知された圧力が予め定めた値より大きい場合に前記液体を照明する照明部と、前記液体圧力検知部により検知された圧力が予め定めた値より大きい場合に前記液体に超音波振動子が振動を与えて白煙を生成させる白煙生成部と、を有する構成を採る。
【発明の効果】
【００１０】  本発明によれば、液体の圧力が予め定めた値より大きい場合に白煙生成部及び照明部を動作させるので、液体の圧力が低い状態で超音波振動子を動作させて破損してしまう心配が無く、少量の液体がセンサーに付着しただけで白煙が発生すること無く、液体が注がれ予め定めた液体の圧力以上となった場合に照明と白煙発生とを開始し白煙と光の演出効果を高めることができる。
【図面の簡単な説明】
【００１１】
【図１】本発明の一実施の形態に係る白煙演出装置の正面断面図
【図２】本発明の一実施の形態に係る白煙演出装置の平面図
【図３】本発明の一実施の形態に係る白煙演出装置に水を注ぎＬＥＤが点灯したときの正面断面図
【図４】本発明の一実施の形態に係る白煙演出装置に更に水を注いだときの正面断面図
【図５】本発明の実施の一形態に係る白煙演出装置に更に水を注ぎ白煙が発生しＬＥＤが照明しているときの正面断面図
【図６】本発明の一実施の形態に係る白煙演出装置の白煙発生で水が減少し白煙発生が止まったときの正面断面図
【図７】本発明の一実施の形態に係る白煙演出装置のタイマー機能により動作を停止したときの正面断面図
【発明を実施するための形態】
【００１２】  以下、本発明の一実施の形態について図面を参照して詳細に説明する。
【００１３】  図１は、本発明の一実施の形態に係る白煙演出装置の正面断面図である。図２は同装置の平面図である。図３は同装置に水を注ぎＬＥＤが点灯したときの正面断面図である。図４は同装置に更に水を注いだときの正面断面図である。図５は同装置に更に水を注ぎ白煙が発生しＬＥＤが照明しているときの正面断面図である。図６は同装置の白煙発生で水が減少し白煙発生が止まったときの正面断面図である。図７は同装置のタイマー機能により動作を停止したときの正面断面図である。
【００１４】  白煙演出装置１は、液体圧力検知部１５と、圧力判定部（図示せず）と、白煙生成部３０と、ＬＥＤ照明部３５と、タイマー部（図示せず）と、電源部（図示せず）と、リチウムイオン電池４０とを備える。
【００１５】  液体圧力検知部１５は、乳白色樹脂の円盤５５に穴を開けて固定され、回路基板６０上に構成された信号増幅回路（図示せず）を含め、透明樹脂の円筒５０と円盤５５とを接着して形成した容器に注がれた水１０の圧力を検知する。圧力判定部は、回路基板６０上に構成され、液体圧力検知部１５により検知された圧力が予め定めた値より大きいかどうかを判定する。
【００１６】  ＬＥＤ照明部３５は、圧力判定部により判定された圧力が予め定めた第１の値より大きい場合に水１０を照明する。白煙生成部３０は、圧力判定部により判定された圧力が第２の値より大きい場合に、容器内の水１０に、円盤５５のほぼ中央に穴を開けて固定された超音波振動子２０を駆動して白煙２５を生成させる。ＬＥＤ照明部３５は、水１０を介して白煙２５を照明する。
【００１７】  タイマー部は、回路基板６０上に構成され、白煙演出装置１の動作時間を計測する。電源部は、回路基板６０上に構成され、回路基板６０上に構成される回路及び白煙生成部３０とＬＥＤ照明部３５とに電気を供給する。電池４０は、電源部に電気を供給する。
【００１８】  円盤５５と円筒６５とを更に接着し、できたスペースに、白煙生成部３０と、ＬＥＤ照明部３５と、電池４０と、回路基板６０とを支持板７５、７６を介して固定し、容器と一体配置している。
【００１９】  図１及び図２で示す白煙演出装置１を、結婚披露宴に招待客が入場する前に、招待客のテーブルに設置しておく。新郎新婦が招待客のテーブルをまわり、図３で示す様に、円筒５０と円盤５５とで形成された容器に水を注ぐ。液体圧力検知部１５は、検知された圧力を回路基板６０上の信号増幅回路を通して圧力判定部に出力する。
【００２０】  圧力判定部は、液体圧力検知部１５により検知された圧力が予め定めた値より大きいかどうかを判定する。容器に水が注がれたとき、注がれた水が直接液体圧力検知部１５に当ると大きな圧力を検出する場合があるので、例えば、一定期間に複数回検知し、それらの検知された圧力の平均値といったサンプリングによる値を予め定めた値より大きいかを判定するのが望ましい。液体圧力検知部１５に注がれた水が直接当たらない様にガード（図示せず）を設けて、サンプリングによる測定ではなく、単純測定としても良い。
【００２１】  圧力判定部が判定した圧力が予め定められた第１の値より大きくなったらＬＥＤ照明部３５のＬＥＤが点灯し、ＬＥＤ光７０により、水１０を明るく照らし始める。
【００２２】  図４に示す様に、新郎新婦がさらに容器に水を注ぐと、液体圧力検知部１５が検知する水の圧力は高くなる。図５に示す様に、圧力判定部が判定した圧力が予め定めた第２の値より大きくなったら白煙生成部３０は超音波振動子２０を駆動して水１０から白煙２５を発生させる。ＬＥＤ照明部３５からのＬＥＤ光７０は水１０を通して、発生した白煙２５も照明する。
【００２３】  白煙生成部３０の動作が継続すると、白煙２５発生により水１０は減少してきて、図６に示す様に、圧力判定部が判定した圧力が予め定めた第２の値より小さくなったら白煙生成部３０は白煙２５の発生を停止する。
【００２４】  さらにタイマー部は、白煙演出装置１の動作時間を計測して予め定めた時間が経過すると、図７に示す様に、電源部から各部への電源供給を停止する。電源供給を停止されたＬＥＤ照明部３５はＬＥＤを消灯する。これにより電池４０の消耗を低減する。
【００２５】  以上詳細に説明したように、本実施の形態によれば、白煙演出装置１が容器に注がれた水１０の圧力を検知する液体圧力検知部１５と、液体圧力検知部１５により検知された圧力が予め定めた値より大きいかどうかを判定する圧力判定部と、圧力判定部により判定された圧力が予め定めた第１の値より大きい場合に水を照明する照明部３５と、圧力判定部により判定された圧力が第２の値より大きい場合に水に超音波振動子２０を駆動して白煙２５を生成させる白煙生成部３０と、を有する。
【００２６】  これにより、冠婚葬祭等で来場者が着席する前に演出装置のセッティングを完了でき、演出装置にセレモニーの主体者である例えば新郎新婦が水等の液体を注ぐだけで、超音波振動子の破損の心配をする必要が無く、少量の水がセンサーに付着しただけで白煙が発生してしまうことが無く、容器のサイズや形状に自由度が大きい、照明と白煙発生を開始できる白煙演出装置を提供することができる。
【００２７】  また、本実施の形態によれば、圧力判定部は、液体圧力検出部１５が検出した圧力を予め定めたサンプリング方法により判定するので、容器に水１０が注がれたとき、注がれた水１０が少量にも拘らず、直接液体圧力検知部１５に当ることによって生ずる大きな圧力を検出して、予め定めた値に達したと誤認識し照明を開始したり白煙生成を開始することなく、安定した白煙演出装置を提供することができる。
【００２８】  また、本実施の形態によれば、照明部３５の光源はＬＥＤであり、低消費電力で高輝度照明、更には色の制御も容易に実現できる。また、本実施の形態によれば、照明部３５の光源は、容器の下部から、水１０を介して白煙２５を照明する方向に配置されているので、水１０の揺らぎと白煙２５の揺らぎを効果的に照明できる。
【００２９】  また、本実施の形態によれば、装置１の動作時間を計測するタイマー部を更に備え、予め定めた時間を経過した場合、動作を停止するので、演出終了時間をコントロールでき、無駄な電力消費を削減できる。
【００３０】  また、本実施の形態によれば、液体圧力検知部１５と圧力判定部と白煙生成部３０とＬＥＤ照明部３５とに電気を供給する電源部と、液体圧力検知部１５と、圧力判定部と、白煙生成部３０と、ＬＥＤ照明部３５と、容器とを一体配置しているので、披露宴会場等で本装置の設置や撤収を容易にすばやく実施できる。
【００３１】  また、本実施の形態によれば、電源部は電池４０で駆動するので、商用電源からのケーブル配線が不要となり、商用電源がサポートされていない野外会場での利用が可能となり、更に披露宴会場等で本装置の設置や撤収を容易にすばやく実施できる。
以上の説明は本発明の好適な実施の形態の例証であり、本発明の範囲はこれに限定されることはない。
例えば、液体は水に限定されない。アロマ液や炭酸水、着色水でもよい。
さらに、照明部の照明素子はＬＥＤに限定されない。電球や有機ＥＬでもよい。
【００３２】  さらに、電池はリチウムイオン電池に限定されない。ニカド電池やニッケル水素電池、鉛蓄電池、アルカリ蓄電池、燃料電池、太陽電池、各種一次電池でもよい。
【００３３】  さらに、容器の形状は円筒に限定されない。圧力検知部の６φ程度の穴と超音波振動子の１５φ程度の穴を液体に浸すことができる容器の形状であれば、その大きさや形状は制約されない。
さらに、先に液体を照明し、その後白煙を生成する順に限定されない。同時でもよいし、先に白煙を生成してから、その後照明するようにしてもよい。
さらに、圧力判定部におけるサンプリング方法は、期間平均に限定されない。期間内最大値を突発的異常値として除いた後の平均でもよい。
【００３４】  さらに、タイマー部による経過時間計測は白煙演出装置全体の動作時間の計測に限定されない。液体圧力検知部が液体の圧力変化を検知し始めた時刻や照明部が照明を開始した時刻や白煙生成部が白煙生成を開始した時刻でもよい。
【産業上の利用の可能性】
本発明に係る白煙演出装置は、結婚披露宴や各種催し物を光と煙で演出する装置として好適である。
【符号の説明】
【００３５】１  白煙演出装置
１０  水
１５  液体圧力検知部
２０  超音波振動子
２５  白煙
３０  白煙生成部
３５  ＬＥＤ照明部
４０  電池
５０  円筒
５５  円盤
６０  回路基板
６５  円筒
７０  ＬＥＤ光
７５，７６  支持板
【図１】
2015077381.tif 000003
【図２】
2015077381.tif 000004
【図３】
2015077381.tif 000005
【図４】
2015077381.tif 000006
【図５】
2015077381.tif 000007
【図６】
2015077381.tif 000008
【図７】
2015077381.tif 000009